(57)【要約】【課題】  グリーティングカードや飛び出す絵本のような立体模型では、自然に閉じようとするものを開いたままに飾ろうとすると、知らず知らずの内に閉じようとして全体が変形してしまう。またこれ等のような立体模型は在り来たりの感が強い。【解決手段】  前景部１を背後から支持するための支持部２を設けて、支持部２から前景部１への３種の支持片２０、２２、２５により前景部１が支持されるようにした。この構成により平たい状態から組み立てた時にしっかり開いたまま飾っておくことが出来るような、目新しい立体模型となっている。【選択図】図３
2018202115.tif 000002
【特許請求の範囲】
【請求項１】
切れ目とこれに関連付けて設けた折り目とを有して、前記折り目から折り返した時に前記切れ目の部分が立体化するようにすると共に、全体を少なくとも２つ折りにして立つことが出来るようにした前景部と、該前景部の背後に配設して前記前景部を支持する支持部とから成り、前記前景部から突出して前記支持部を支持する支持片または前記支持部から突出して前記前景部を支持する支持片を備えている、立体模型。
【請求項２】
前記支持片に離型紙付きの粘着部を備えている、請求項１に記載の立体模型。
【請求項３】
前記支持部が黒色などの暗色系の色を呈するものである、請求項１に記載の立体模型。
【請求項４】
前記支持部が切れ目とこれに関連付けて設けた折り目とを有する、請求項１に記載の立体模型。
【請求項５】
クリアケースに納められた、請求項１に記載の立体模型。
【発明の詳細な説明】
【技術分野】
【０００１】  この発明は、クラフト紙などのシート状体を折った時に立体化するように構成した立体模型に関するものである。
【背景技術】
【０００２】  従来より、紙を折った時に立体化するように構成したグリーティングカードや飛び出す絵本が存在している。このものは主として全体を少なくとも２つ折りにすることが出来ると共に、この２つ折りの２面に亘る切れ目とこの切れ目に関連付けて設けられた折り目とによって、２つ折りの状態から開いた時に切れ目を設けた部位が立体化して飛び出るように構成されているものが基本であり一般的である。なお更に上記２面に掛け渡されてグリーディングカードや飛び出す絵本が開くのに合わせて開くような部品を別部品の一種として備えるものもある。従ってこのような構成のグリーティングカードや飛び出す絵本を、上述した開いた状態から再び閉じるようにすることで、２つ折りの平らな状態に戻すことが出来る。
【発明の概要】
【発明が解決しようとする課題】
【０００３】  上述したようなグリーティングカードや飛び出す絵本のような立体模型は閉じておいたものを開いて楽しむのが基本であり、中には開いたままにして飾っておくグリーティングカードのようなものもあるが、普段は閉じておかれることが多い。それはその構造ゆえのことである。すなわち閉じよう閉じようとする力が自然に働くのである。【０００４】  このように自然に閉じようとするものを開いたままに飾ろうとすると、知らず知らずの内に閉じようとして全体が変形してしまう。飾れる立体模型としては不満が多いものでしかない。なおこの手の立体模型にはすでに在り来たりの感が強いため、これに拘ることなく、目新しい立体模型を提供したい。【０００５】  そこでこの発明は、平たい状態から開いて組み立てたものをしっかり開いたまま飾っておくことが出来るようにすること、より多彩な立体模型を表現すること、の何れか一のまたは両方の課題を解決する。
【課題を解決するための手段】
【０００６】  上記課題は、切れ目とこれに関連付けて設けた折り目とを有して、前記折り目から折り返した時に前記切れ目の部分が立体化するようにすると共に、全体を少なくとも２つ折りにして立つことが出来るようにした前景部と、該前景部の背後に配設して前記前景部を支持する支持部とから成り、前記前景部から突出して前記支持部を支持する支持片または前記支持部から突出して前記前景部を支持する支持片を備えている、立体模型とすることにより解決される。【０００７】  この発明の特徴は、前景部の背後に前景部を支持するための支持部が配設されている点と、支持部から前景部へ、または前景部から支持部へ、或いはその双方へ、互いを支持するための支持片を設けた点とにある。支持部と支持片とによって、数多くの折り目を有するものの、開いた状態をしっかりと保つことが出来る立体模型となる。【０００８】  またこの発明は、前景部の背後に前景部を支持するための支持部が配設されていることにより、支持部を利用してより多彩な立体模型を表現することが出来る点に特徴を有している。更に支持片を活用してここに、前景部の前景や、支持部の遠景に、支持片の中景を加えることも可能である。このようにして多彩な奥行きを表現することが出来るようになっている。前景部の立体化された部位と支持部との間に影が出来ると、立体感がより強調される効果もある。【０００９】  なお２つ折りの場合であっても、３つ折り４つ折りの場合であっても、設置姿勢に対して折り目が水平となるように模型を構成することも、垂直となるように模型を構成することも可能である。或いはこの発明では閉じておくことを必ずしも重要視していないため、折り目が前景部と支持部とでは異なる方向を向くような設計も可能である。【００１０】  次に前記支持片に離型紙付きの粘着部を備えているものとしても良い。すると、前景部から突出する支持片の場合には、離型紙を剥離して現われる粘着部によって支持片に接着して、前景部と支持部との間を突っ張ることになるし、また支持部から突出して前景部を支持する支持片の場合には、上記粘着部により前景部に接着して支持部と前景部との間を突っ張ることになる。【００１１】  なお支持片の粘着部に上述したような別部品を接着させる使用法も可能である。他側に突っ張りつつ別部品を支持することが出来る。【００１２】  なお支持片の形態を支持部から突出して前景部を支持する支持片とした場合であって、支持部の支持片を通すための通孔を前景部の側に設けて、この通孔に支持片を通して前景部と支持部とを連結させ、その支持部の粘着部に上述したような別部品を接着させる使用法も可能である。支持部による前景部の支持と支持部による別部品の支持との両方の利点がある。【００１３】  次に前記支持部が黒色などの暗色系の色を呈するものとしても良い。このような暗色系の支持部は前景部の絵柄を浮きあがらせて明らかにしたり、前景部の美しさを強化したりすることが出来る。また場合によっては額縁となる効果も見られる。【００１４】  次に前記支持部が切れ目とこれに関連付けて設けた折り目とを有するものとすることが出来る。切れ目とこれに関連付けて設けた折り目とは通常は前景部に設けられるものであるが、これを支持部にも設けることによって、より多彩な立体表現が可能になる。【００１５】  次にこの発明の立体模型をクリアケースに納めるようにしても良い。上述のようにこの発明では閉じておくことを必ずしも重要視していない。それどころか立体模型として積極的に飾れるようにしても良い分けである。そこで埃などを寄せ付けないように、また透明感を高めるために、或いは高級感を演出するために、クリアケースに納めるのである。
【発明の効果】
【００１６】  この発明によれば、前景部の背後に前景部を支持するための支持部を配設して、支持部から前景部へまたは前景部から支持部へ或いはその双方へ、互いを支持するための支持片を設けたので、平たい状態から組み立てた時にしっかり開いたまま飾っておくことが出来るようになった。またこのような構成であるから、より多彩な立体模型を表現することが出来るようになった。
【図面の簡単な説明】
【００１７】
【図１】  実施例１の前景部１を表す説明図である。
【図２】  実施例１の支持部２を表す説明図である。
【図３】  実施例１の組立状態を表す説明図である。
【図４】  実施例２の立体部３７を表す説明図である。
【図５】  実施例２の前景部３を表す説明図である。
【図６】  実施例２の支持部４を表す説明図である。
【図７】  実施例２の組立状態を表す説明図である。
【図８】  実施例３の指示部６を表す説明図である。
【発明を実施するための形態】
【００１８】  以下この発明の実施例を図面に基づいて説明するが、この発明はこれ等の実施例にのみ限定されるものではない。
【実施例１】
【００１９】  図１乃至図３でこの実施例の立体模型を表す。前景部１は白色紙に景色をカラー印刷して成る。図１では切れ目１１や折り目１２が分かりにくくなるのを避けてアウトラインで景色を描いた。符号１５は前景部１を２つ折りにするための折り目である。この前景部１の周囲に一点鎖線で表した枠は、後に前景部１の背後に組み合わされる黒色紙になる支持部２であり、これが後に背面側から前景部１を支持することになる。この際に支持部２は黒色であることによって前景部１に額縁的な視覚効果を与え、前景部１を際立たせる作用がある。【００２０】  折り目１５を谷折にして前景部１の中央部から飛び出るようにした立体部１０は、折り目１２と切れ目１１とが立体部１０に設けられていることにより生ずる。左右手前の立体部１０、１０は手前に起こすことで立体化する。このように切れ目１１と折り目１２とは起こしたいとする立体部１０に従って関連付けて設けられている。なお中央手前には通孔１３が開口されている。また前景部１の一部を為す立体部１４は、前景部１の別パーツとして用意される。【００２１】  支持部２は折り目２８から２つ折りにされるように構成されている。以下では４つの支持片２２、２０、２５，２５に付いて説明する。支持部２の中央下には上記折り目２８に掛かるようにして、後に支持片２２が形成されるように切れ目２３と折り目２４とが設けられている。支持片２２の上方には支持片２０が切れ目２１と折り目２９とによって設けられており、支持片２２の先端部には離型紙付きの粘着部２００がある。また支持片２２の左右下方には支持片２５、２５が切れ目２６と折り目２７とにより設けられている。【００２２】  支持部２の上に前景部１を、折り目２８に折り目１５を合わせるようにして重ね合わせて、折り目２８と折り目１５とからほぼ直角に折り曲げると、図３で表すような接地面でも背面でも密着した状態となる。この際に重要なのは支持部２の支持片２２が折り目２４から山折にされて前景部１の通孔１３から表側に突出することである。これにより前景部１と支持部２とはずれることなく固定されて、前景部１はしっかりと支持部２に支持されることになる。なお前景部１に突出した支持片２２には別パーツである上記立体部１４が接着されて、上記前景部１を後景とする中景を構成する。【００２３】  一方、前景部１の左右手前の立体部１０は手前に起こすことで立体化するが、この立体部１０が抜けた跡に支持部２の支持片２５、２５を左右にほぼ直角に起こすことで、この左右手前の立体部１０の背後に接触してこれを支持して、立体部１０、１０が後ろに倒れないように指示することが出来る。立体部１０、１０は上記の後景、中景に対する前景となる。【００２４】  そして前景部１の中央部から飛び出るようにした立体部１０の背面を、支持部２からほぼ直角に起こした支持片２０が接触して、立体部１０の飛び出しを支持するが、この突っ張りの支持を確実なものとするために、支持片２０の粘着部２００で立体部１０の背面に接着させるようにするのである。なおこの実施例では、支持片２０は支持部２の側に設けているが、逆に前景部１の側に設けて支持部２を突っ張るように構成することが可能である。或いは双方から支持片を起こすようにして、互いを突っ張り合うように構成することも可能である。【００２５】  すなわちこの実施例は、請求項１、請求項２及び請求項３に掛かるものであり、前景部１を背後から支持するための支持部２が配設され、支持部２から前景部１への３種の支持片２０、２２、２５によって前景部１が支持されているので、平たい状態から組み立てた時にしっかり開いたまま飾っておくことが出来るようになっている。
【実施例２】
【００２６】  図４乃至図７でこの実施例の立体模型を表す。図４の３つの立体部３７は後述する指示部４の支持片４０に取り付けられて前景となるものである。前景部３はアクリルの薄板に景色をカラー印刷して成るものである。指示部４は黒色アクリルの薄板に成るが、色は黒でなくとも良い。アクリルの薄板を用いたのは紙に成るものよりクリアな感じを出すためである。このように前景部や指示部の素材は設計に応じて何を用いても良い。【００２７】  図４は前景部３に係り、前景部３を２つ折りにするための折り目３７は、後述の指示部４を２つ折りにするための折り目４３と合うように設けられている。折り目３７より上の部位には手前に起こしたいとする立体部３０が、切れ目３１と折り目３２とによって形成されている。なお手前に起こした時の立体部３０は折り目３７より下の部位にあって切れ目３５と折り目３６とから形成される支持片３４を起こすことで支持されるように設計されている。この支持片３４はほぼ直角に起こすだけども所要の作用を現すが、別途接着剤などによって立体部３０を固定するようにも為し得る。【００２８】  更に折り目３７より下の部位には３つの通孔３３が設けられている。これ等は後述する指示部４の支持片４０を通すための開口部である。すなわち指示部４には上記通孔３３に対応させるようにして３つの支持片４０が折り目４３を跨ぐようにして設けられている。支持片４０は切れ目４１と折り目４２とのより形成されている。【００２９】  そこで支持部４の上に前景部３を、折り目４３に折り目３７を合わせるようにして重ね合わせて、折り目４３と折り目３７とからほぼ直角に折り曲げると、接地面でも背面でも密着した状態となる。ここで重要なのは支持部４の支持片４０が折り目４２から山折にされて前景部３の上記通孔３３から表側に突出することである。これにより前景部３と支持部４とがずれることなく固定されて、前景部３はしっかりと支持部４に支持されることになる。なお前景部３に突出した支持片４０には、別パーツである上記立体部３７が接着されて、上記前景部３の立体部３０を後景とする前景を構成する。なお支持片４０の先端部は、一点鎖線で表したように、谷折りされて通孔３３の裏側に当接されるが、ここを接着によって固定するようにしても良い。【００３０】  なお請求項４の構成を実施すべく、支持部４の側に一点鎖線で表した切れ目４４とこれに関連付けて設けた折り目４５とを設けるようにしても良い。関連付けて設けると言うのは、切れ目４４と折り目４５とで囲まれた部位が、後に手前に引き起こされる立体部４６となるようにすると言う意味である。支持部４の側にも立体部４６を設けることで奥行き感が更に増すことになる。【００３１】  このようにして組み立てられた立体模型はアクリル製のクリアケース５に納められる。これにより埃などが立体模型に付着するのを防ぐことが出来る。また劣化を遅らせることが可能である。また前景部３や支持部４の立体形状を効果的に保つ作用も見られる。図７はこの実施例の立体模型を上方視したものであるが、前景部３の背面を支持部４が支持するが、この支持を確実なものとするために前景部３の通孔３３に支持部４の支持片４０を通すようにしている。なお支持片４０に接着された上記立体部３７は、支持片４０が通孔３３から抜け出さないようにするためのストッパの役を兼ねている。【００３２】  要するにこの実施例は、請求項１、請求項３、請求項４及び請求項５に掛かるものであり、前景部３を背後から支持するための支持部４が配設され、支持部４から前景部３への３つの支持片４０によって前景部３が支持されており、平たい状態から組み立てた時にしっかり開いたまま飾っておくことが出来るようになっている。
【実施例３】
【００３３】  図８でこの実施例の指示部６のみを表す。上述した実施例１では支持部２からほぼ直角に起こした支持片２０が前景部１の立体部１０に接触して、立体部１０の飛び出しを支持していたが、この支持片２０の代わりに、この実施例では支持部６の左右に支持片６０を設けた構成としている。【００３４】  すなわち支持部６は符号６５の折り目から２つ折りにして立体化されるものであるが、この折り目６５に掛かるようにして左右２つの垂直な切れ目６４を入れ、この切れ目６４の下端部を繋ぐようにして谷折となる水平な折り目６１が設けられ、切れ目６４の上端部を繋ぐようにして谷折となる水平な折り目６２が設けられて、支持片６０が形成されている。そして折り目６５から折り目６１までと同じ間隔を開けて、折り目６２の下方に山折となる水平な折り目６３が設けられている。【００３５】  ここで支持部６を折り目６５から２つ折りにすると支持片６０が突出するので、支持片６０を以て図示しない前景部に接触或いは接着させて、前景部を支持させるのである。【００３６】  さてここまで３種類の実施例を説明して来たが、この発明はこれ等に限定されるものではない。実施例１及び実施例２では前景部と支持部とは密着するように構成されている。この構成に於いて、例えば前景部に縦方向の山折線を設け、またこの山折線の両側に谷折線を設けて、これ等により山折線の部位を縦方向に突出させた上で、この前景部の左右両端部分を支持部に密着固定させるような構成も可能である。【００３７】  また前景部と支持部とを密着させるのではなく、前景部が支持部から浮くようにも構成することが可能である。このために前景部から突出して支持部を支持する支持片か支持部から突出して前景部を支持する支持片を備えるのである。上述した実施例３の支持片６０周りがこの構成である。【００３８】  また上述した支持片２０や支持片６０は、支持部２や支持部６を接触や接着により支持する構成である。この代わりに２片を関係付ける他の構成例として、各々の片に切れ込みを入れておき、切れ込み同士を挿し込むようにすることを上げる。或いはいわゆるキャラメル箱の蓋の差し込み片の構成を利用しても良い。【００３９】  この他、支持部の背後に小さなスタンドを設けたり、支持部の背後にもう一つ前景部を設けたり、全体を額縁のようにして壁に掛けられるようにしたり、前景部と支持部とでは素材を変えたりと、各種の工夫が可能である。【００４０】  なお実施例１では前景部１の折り目１５と支持部２の折り目２８とは、また実施例２では前景部３の折り目３７と支持部４の折り目４３とは、各々水平に設けられていた。また実施例３で支持部６の折り目６５は水平である。これに対して上記折り目を垂直に設けて２つ折り３つ折りなど恰も屏風のように立体化する構成も可能であり、これもこの発明の権利範囲内のものである。
【産業上の利用可能性】
【００４１】  この発明は組立上がった立体模型としての提供ばかりでなく、立体模型の組立キットとしての提供が可能である。
【符号の説明】
【００４２】  １    前景部        １０  立体部        １１  切れ目        １２  折り目
１３  通孔          １４  立体部        １５  折り目        ２    支持部
２０  支持片        ２１  切れ目        ２２  支持片        ２３  切れ目
２４  折り目        ２５  支持片        ２６  切れ目        ２７  折り目
２８  折り目        ２９  折り目        ２００粘着部        ３    前景部
３０  立体部        ３１  切れ目        ３２  折り目        ３３  通孔
３４  支持片        ３５  切れ目        ３６  折り目        ３７  折り目
３８  立体部        ４    支持部        ４０  支持片        ４１  切れ目
４２  折り目        ４３  折り目        ４４  切れ目        ４５  折り目
４６  立体部        ５    クリアケース  ６    支持部        ６０  支持片
６１  折り目        ６２  折り目        ６３  折り目        ６４  切れ目
６５  折り目
【図１】
2018202115.tif 000003
【図２】
2018202115.tif 000004
【図３】
2018202115.tif 000005
【図４】
2018202115.tif 000006
【図５】
2018202115.tif 000007
【図６】
2018202115.tif 000008
【図７】
2018202115.tif 000009
【図８】
2018202115.tif 000010